(57)【要約】      （修正有）【課題】完成あるいは市販されている靴下に取り付けることによって、その靴下の特徴を生かしながら、ギプスを装着したり腫脹がある足用のものとしての靴下とすることができる靴下の拡張部材を提供する。【解決手段】完成されている靴下２０を、腫脹があるかギプスを付けた足用のものとするための拡張部材１０であって、靴下２０の、履き口端縁２１から足の甲の上となる部分までを切り開いてできる２つの切断端縁２２に、それぞれ連結される２つの連結端縁１１と、履き口端縁２１の切り開かれた部分を連結する上端縁１２と、により構成する。【選択図】図２
0003191908.tif 000002
【実用新案登録請求の範囲】
【請求項１】
完成されている靴下を、腫脹があるかギプスを付けた足用のものとするための拡張部材であって、
前記靴下の、履き口端縁から前記足の甲の上となる部分までを切り開いてできる２つの切断端縁に、それぞれ連結される２つの連結端縁と、前記履き口端縁の切り開かれた部分を連結する上端縁と、を有するの拡張部材。
【考案の詳細な説明】
【技術分野】
【０００１】
本考案は、市販されている靴下に取り付けて使用される拡張部材に関し、主として腫脹があるかギプスを付けていてそのままで履くことができない市販の靴下を拡張するための部材に関するものである。
【背景技術】
【０００２】
下肢を骨折した人は、処置後の足を所謂ギプスで保護することが一般的である。このギプスとしては、特許文献１でも説明されている通り、膝蓋腱支持ギプス、いわゆる下腿ギプス等があり、このようなギプスは、下腿骨折の治療において現在広く用いられている。このギプスは、骨折後あるいは手術後早期からの膝関節の運動や荷重歩行を可能とするために、図５（特許文献１中では図９）中の矢印で示した膝関節の周辺部（膝蓋腱部、脛骨顆部）の圧迫部位で体重を支えることで下腿の骨折部に過度の負荷が懸らないように保護すること（免荷）を目的として使用されているものである。
【０００３】
このようなギプスは、あくまでも、下腿の骨折部に過度の負荷が懸からないようにすること（免荷）を目的として使用されているものであり、歩行に重要な働きをする足指先端は、図４にも示すように、ギプスから露出させておかれる。このギプスから露出した足指の先端は、冬季であれば非常に冷えることになり、保温しなければならない。
【０００４】
一方で、ギプスから足指先端が露出していれば、部屋の外での歩行を行うとき、汚れや損傷を招かないようにする必要があるが、このためのものとして、特許文献２等におて提案されている「ギプスシューズ」（キャストシューズとも言われる）が使用される。
【０００５】
図６には、特許文献２において提案されている「ギブス用足カバー」が示してあるが、この「ギブス用足カバー」は、「骨折などで通常の靴が履けない状態の時にそれに代わる」ものであり、図６に示すように、「本体１にマジックテープ（登録商標）をそれぞれ付け着脱を容易にし、２の足首部分に幅広のゴムを入れてずり落ちを防止し、３の足底は足袋と同じ形状とすることでより足にフィットするようになる。さらにギブスの汚れを防止するだけでなく汚れを気にせず地に足をつけることが出来るので肉体的負担を軽減できる」ものである。
【０００６】
また、図７には、近年販売されている「ギプスシューズ」が示してあるが、この図７の「ギプスシューズ」は、足指先端は露出させたままとなるもので、足に装着し易いけれども、足指の保温はできない。
【先行技術文献】
【特許文献】
【０００７】
【特許文献１】特開平９−８４８２８号公報、要約、図８
【特許文献２】実用新案登録第３１２８０８５号掲載公報
【考案の概要】
【考案が解決しようとする課題】
【０００８】
以上のように、ギプスを装着した人の足指の保温を行おうとすると、「ギプスシューズ」ではなくて、ギプスの上から履けるような大き目の靴下が必要になる。そこで、ギプスを付けた人のために、大き目の靴下が市販されていないかを探すことになるが、このようなギプスを付けた人用の靴下は一般的には販売されていないようで、特製の靴下を作ることになる。
【０００９】
ところが、靴下は、通常は左右が揃って初めて役に立つものであるため、ギプスを付けた足用に特製の靴下を作ったとしても、反対側の足用のものも用意しなければならない。下腿骨折では、両方の下肢とも骨折することはまれで、片方の足は健康のままということがよくあるが、その場合に、ギプスを装着した方の足には特製の靴下で、反対側はデザインも異なる別の靴下では見栄えも悪いし、このようにするには費用や手間暇も掛かる。
【００１０】
以上のことは、ギプスは装着してはいないが、足に何らかの原因で「腫脹」があって、市販の靴下が履けない程度に腫れている足の人にも言えることである。
【００１１】
そこで、本考案者等は、片方の足にギプスを装着していたり腫脹があって、大きな靴下が必要な人のために、もう一方の足の靴下と共通して使用できるようにするにはどうしたらよいか、について種々検討を重ねてきた結果、完成あるいは市販されている靴下一対の片方を拡張すればよいことに気づき、本考案を完成したのである。
【００１２】
すなわち、本考案の目的とするところは、完成あるいは市販されている靴下に取り付けることによって、その靴下の特徴を生かしながら、ギプスを装着したり腫脹がある足用のものとしての靴下とすることのできる拡張部材を提供することにある。
【課題を解決するための手段】
【００１３】
以上の課題を解決するために、本考案の採った手段は、後述する最良形態の説明中で使用する符号を付して説明すると、
「完成されている靴下２０を、腫脹があるかギプス３０を付けた足用のものとするための拡張部材１０であって、
靴下２０の、履き口端縁２１から前記足の甲の上となる部分までを切り開いてできる２つの切断端縁２２に、それぞれ連結される２つの連結端縁１１と、履き口端縁２１の切り開かれた部分を連結する上端縁１２と、を有するの拡張部材１０」
である。
【００１４】
この拡張部材１０は、図１に示すように、完成あるいは市販されている靴下２０を、腫脹があるかギプス３０を付けた足に履かせることができるようにするものである。つまり、この拡張部材１０は、図２の（a)に示すように、完成あるいは市販されている靴下２０の、履き口端縁２１から足の甲の上となる部分までを切り開いてできる２つの切断端縁２２に連結されるものである。
【００１５】
そして、この拡張部材１０は、靴下２０側の２つの切断端縁２２に、それぞれ連結される２つの連結端縁１１と、履き口端縁２１の切り開かれた部分を連結する上端縁１２と、を有するものである。
【００１６】
この拡張部材１０の材質は、「靴下」としての機能を果たすのであれば何であってもよく、布製であってもニット製であってもよい。また、この拡張部材１０を、靴下２０の、履き口端縁２１から足の甲の上となる部分までを切り開いてできる２つの切断端縁２２に連結するためには、一般的な縫製や編み込みは勿論、後述する実施形態で説明する両面接着テープ１５や接着剤が採用される。
【００１７】
そして、この拡張部材１０は、図２の（a)、あるいは図３の（a)や（d)に示すような一枚ものとして実施してもよいし、図３の（b)または（c)に示すような分割部１４と、この分割部１４を閉じる分割とじひも１４ａを有したものとして実施してもよいものである。なお、図３の（ｄ）に示す拡張部材１０は、正五角形のもので、上側２辺を履き口端縁１２としているが、１辺のみを履き口端縁１２として使用することもあり得る、自由な使用のものである。
【００１８】
以上のようにした拡張部材１０が連結されるべき靴下２０としては、完成あるいは市販されているものをそのまま利用するとよい。何故なら、完成あるいは市販されている靴下２０は、左右一対のものとしてデザイン上でも大きさの点でも揃えてあるから、図２の（b)に示すような拡張部材１０を連結したものと、そのような加工をしない市販されたままの靴下２０とは、機能もデザインも統一されたものとなるからである。換言すれば、本考案に係る拡張部材１０を連結した靴下２０は、そのほとんどの部分が元の靴下２０のままであり、そうでない靴下２０と、デザイン、大きさ、肌触り、履き口端縁２１における伸縮ゴムの強さ等のあらゆる点で、殆ど共通することになる。
【００１９】
以上のような拡張部材１０を使用して、完成あるいは市販されている靴下２０を図１に示すような状態にすれば、靴下２０が本来的に有していた履き口端縁２１が拡張部材１０の履き口端縁１２によって広がることになるから、ギプス３０を装着していない人用のものであった靴下２０が、図１に示すように、ギプス３０を装着した人でもこのギプス３０の上から履くことによって、十分使用できるものとなるのである。
【００２０】
換言すれば、本考案に係る拡張部材１０は、安価に提供されている靴下２０をそのまま利用して、ギプス３０を装着した人用のものとすることができるのであり、一対の靴下２０が有していたデザイン上の統一性を維持しながら、かつ靴下２０自体が有していた機能も統一した状態で、ギプス３０を装着した側の足指の保温を簡単かつ安価に行えるのである。
【００２１】
勿論、靴下２０側の履き口端縁２１に組み込んであるゴムの伸縮機能は、この履き口端縁２１に拡張部材１０側の履き口端縁１２が連続しているから、全く損なわれることはないのであり、当該靴下２０をギプス３０の上にしっかりと留めることができることは言うまでもない。
【００２２】
従って、本考案に係る拡張部材１０は、完成あるいは市販されている靴下２０に取り付けることによって、その靴下２０の特徴を生かしながら、ギプス３０を装着したり腫脹がある足用のものとしての靴下とすることができるものとなっているのである。
【考案の効果】
【００２３】
以上説明した通り、本考案は、
「完成されている靴下２０を、腫脹があるかギプス３０を付けた足用のものとするための拡張部材１０であって、
靴下２０の、履き口端縁２１から前記足の甲の上となる部分までを切り開いてできる２つの切断端縁２２に、それぞれ連結される２つの連結端縁１１と、履き口端縁２１の切り開かれた部分を連結する上端縁１２と、を有するの拡張部材１０」
であるため、完成あるいは市販されている靴下２０に取り付けることによって、その靴下２０の特徴を生かしながら、ギプス３０を装着したり腫脹がある足用のものとしての靴下とすることができるのである。
【図面の簡単な説明】
【００２４】
【図１】本考案に係る拡張部材１０を市販されている靴下２０に取り付けて、これをギプス３０を装着した人が履いた状態の部分側面図である。
【図２】同拡張部材１０を靴下２０に取り付ける様子を示すもので、（ａ）は靴下２０の、履き口端縁２１から足の甲の上となる部分までを切り開いてできる２つの切断端縁２２と、これに拡張部材１０の合わせ方を示す斜視図であり、（ｂ）は拡張部材１０を靴下２０に取り付けた状態の斜視図である。
【図３】同拡張部材１０の態様を、（ａ）〜（ｄ）の４つの例で示す各平面図である。
【図４】ギプス３０を装着した人の足を示す側面図である。
【図５】特許文献１に示されたギプス３０の状態を示す断面図である。
【図６】特許文献２に示されたキャストシューズを示す平面図である。
【図７】市販されているキャストシューズの斜視図である。
【考案を実施するための形態】
【００２５】
以上のように構成した本考案を、図面に示した実施の形態である拡張部材１０について説明すると、図１には、本実施形態に係る拡張部材１０によって、ギプス３０を装着した人の足に履けるようにした靴下２０の側面図が示してある。
【００２６】
この靴下２０に拡張部材１０を取り付けるには、図２の（ａ）に示したように、まず、靴下２０の、履き口端縁２１から足の甲の上となる部分までを切り開いて２つの切断端縁２２を形成するのである。これらの切断端縁２２は、通常の靴下２０を履く方向に一致させた方向に切れ込みを入れることによって形成するのが、後に、拡張部材１０を取り付ける方向を安定させる意味で有効である。また、この切れ込みの先端部分に位置する靴下２０に、図２に示したような切れ込み２３を、切断端縁２２のための切れ込み方向に直交する状態で入れておくことは、切れ込みの先端になる靴下２０がさらに裂けてしまうのを防止できることから有効である。
【００２７】
そして、拡張部材１０は、上記靴下２０に形成した切断端縁２２にそれぞれ連結される２つの連結端縁１１と、靴下２０側の履き口端縁２１の切り開かれた部分を連結する上端縁１２と、を有するものである。この拡張部材１０の材質としては、殆ど伸縮性のない単なる布地であってもよいし、ある程度の伸縮性を持たせた「ニット」であってもよい。
【００２８】
この拡張部材１０の平面形状としては、靴下２０を切り開いてできる２つの切断端縁２２と、靴下２０の上端にある履き口端縁２１とに合わせるために、図３の（ａ）に示したような略三角形状にするのが最も自然であるが、図３の（ｄ）に示したような、正多角形状のものとして実施すると、使い方の自由度が増してもよいものとなる。
【００２９】
勿論、この拡張部材１０は、靴下２０を切り開いてできる２つの切断端縁２２と、靴下２０の上端にある履き口端縁２１とに合わせることができるのであれば、図３の（ｂ）及び（ｃ）に示したような分割部１４を備えたものとし、この分割部１４を分割とじひも１４ａによって閉じることができるようにしてあれば、ギプス３０の上から履き易いだけでなく、ギプス３０上に対する留め強さもある程度調整できることになる。なお、この拡張部材１０の表面に、図３の（ａ）や（ｃ）に示したような飾り１３を入れておくと、楽しい使い方ができる。
【００３０】
この拡張部材１０は、靴下２０を切り開いてできる２つの切断端縁２２と、靴下２０の上端にある履き口端縁２１とに合わせて取り付けるものであるが、その取り付け方法は種々考えられる。最も一般的には「逢着」あるいは「縫製」であるが、図３の（ａ）に例示したように、当該拡張部材１０の連結端縁１１裏面に両面接着テープ１５または接着テープを取り付けておくことである。これらの両面接着テープ１５等によって、当該拡張部材１０を靴下２０側の核履き口端縁２１上に接着すれば良いからである。また、単なる接着剤（布同士の接着に適した接着剤は種々提案されている）によって、拡張部材１０を靴下２０に取り付けるようにしてもよい。
【符号の説明】
【００３１】
１０    拡張部材
１１    連結端縁
１２    履き口端縁
１３    飾り
１４    分割部
１４ａ  分割とじひも
１５    両面接着テープ
２０    靴下
２１    履き口端縁
２２    切断端縁
２３    切れ込み
３０    ギプス
【図１】
0003191908.tif 000003
【図２】
0003191908.tif 000004
【図３】
0003191908.tif 000005
【図４】
0003191908.tif 000006
【図５】
0003191908.tif 000007
【図６】
0003191908.tif 000008
【図７】
0003191908.tif 000009